(57)【要約】【課題】携帯端末と通信可能に接続され、データを視認性よく掲示したまま、ドラッグ＆ドロップ操作などの直感的な操作で携帯端末へのデータ転送を実行できる電子掲示装置を提供する。【解決手段】電子掲示装置１０は、携帯端末と通信可能に接続する接続Ｉ／Ｆ４と、データを画面上に掲示する表示部１と、画面上に掲示されたデータに対する操作入力を画面から受け付けるタッチパネル３と、タッチパネル３が受け付けた操作入力に基づいて画面上のデータを携帯端末へ転送する制御部５とを備える。制御部５は、画面上に掲示されたデータがドラッグ操作により画面の外縁部近傍まで移動し、外縁部近傍でドロップ操作されたときに、データを携帯端末へ転送する。【選択図】図１
2008257442.tif 000002
【特許請求の範囲】
【請求項１】
携帯端末と通信可能に接続する接続手段を備えた電子掲示装置であって、
データを画面上に掲示する掲示手段と、該画面上に掲示されたデータに対する操作入力を前記画面から受け付ける操作入力手段と、該操作入力手段が受け付けた操作入力に基づいて前記画面上のデータを前記携帯端末へ転送するデータ転送手段とを備えることを特徴とする電子掲示装置。
【請求項２】
前記操作入力手段は、前記掲示手段の画面上に設けられたタッチパネルであり、
前記データ転送手段は、前記画面上に掲示されたデータがドラッグ操作により該画面の外縁部近傍まで移動し、該外縁部近傍でドロップ操作されたときに、前記データを前記携帯端末へ転送することを特徴とする請求項１に記載の電子掲示装置。
【請求項３】
前記画面の外縁部は、複数の領域に分割され、該分割された各領域に前記接続手段を備え、
前記データ転送手段は、前記各領域の接続手段を介して複数の携帯端末へデータ転送を可能としたことを特徴とする請求項１又は２に記載の電子掲示装置。
【請求項４】
前記接続手段は、前記携帯端末と非接触無線通信を行うために、前記各領域に設けられたリーダライタであり、
前記データ転送手段は、前記各領域のリーダライタを介して前記複数の携帯端末が互いに混信しないように領域毎にデータ転送の制御を行うことを特徴とする請求項３に記載の電子掲示装置。
【請求項５】
前記リーダライタを介して前記携帯端末との間で非接触無線通信を行い、前記リーダライタと前記携帯端末間が有効通信距離になった際に、前記電子掲示装置あるいは前記携帯端末は、前記有効通信距離になったことをユーザに通知することを特徴とする請求項４に記載の電子掲示装置。
【請求項６】
前記各領域のリーダライタを介して前記複数の携帯端末を接続し、該複数の携帯端末との間で同時に非接触無線通信を行うことを特徴とする請求項４に記載の電子掲示装置。
【請求項７】
前記電子掲示装置と前記携帯端末間での通信状態をユーザに通知するための通知手段を備えていることを特徴とする請求項１又は２に記載の電子掲示装置。
【請求項８】
前記電子掲示装置と前記携帯端末間での通信状態をユーザに通知するための通知手段を前記外縁部の各領域に備えていることを特徴とする請求項３又は４に記載の電子掲示装置。
【請求項９】
前記通知手段は、インジケータランプであり、
前記携帯端末との通信が確立した時点あるいは前記携帯端末へのデータ転送が完了した時点で前記インジケータランプによりユーザへの通知動作を行うことを特徴とする請求項７又は８に記載の電子掲示装置。
【請求項１０】
前記データ転送手段は、前記携帯端末へのデータ転送が完了した時点で、前記掲示手段に掲示された前記データを削除することを特徴とする請求項１乃至９のいずれか１項に記載の電子掲示装置。
【発明の詳細な説明】
【技術分野】
【０００１】
本発明は、電子掲示装置、より詳細には、各種データを蓄積・表示する機能を備え、ＰＩＭ(Personal Information Manager)やハンディターミナルなどの小型の携帯端末とデータ連携可能な電子掲示装置に関する。
【背景技術】
【０００２】
特定の人や企業、さらには、不特定多数の人からの各種の連絡情報を電子的に掲示する大型ディスプレイ等を用いた電子掲示板が知られている。ユーザは電子掲示板に掲示された連絡情報を見て記憶したり、あるいは、連絡情報を手書きでメモに書き写すなどして所望の情報を入手することができる。このような従来の電子掲示板では、蓄積されたデータの表示や、特定のデータサーバから蓄積データを更新することについては考慮されていたが、掲示されている情報を電子掲示板から別の情報端末へデータ転送することは考慮されていなかった。
【０００３】
従って、電子掲示板に掲示される連絡情報の情報量が極端に多い場合には、ユーザ自身が頭で記憶したり、手書きでメモに書き写すにはかなりの労力と時間がかかることになり、利便性の面で改善が必要であった。
【０００４】
これに対して、特許文献１には、電子掲示板に掲示される情報を簡単に取得できるようにした電子掲示板システムが開示されている。この電子掲示板システムによれば、情報取得者の携帯情報端末が、電子掲示板に掲示される情報を受信し、その受信された情報を表示部に表示するように構成される。
【特許文献１】特開２００３−６１１０号公報
【発明の開示】
【発明が解決しようとする課題】
【０００５】
しかしながら、上記特許文献１をはじめとする従来の電子掲示板システムの場合、有線・無線を問わず、ネットワークを介した接続されたクライアント・サーバの関係で構成されるのが一般的である。このようなシステムにおいてデータの送受信を行う場合、操作の主体はあくまでクライアント側、すなわち携帯情報端末側となる。ほとんどの場合、データを蓄積している電子掲示板がサーバ、小型の携帯情報端末がクライアントとなり、この携帯情報端末上でデータ送受信用のソフトウェアが動作することになる。
【０００６】
さらに、このようなクライアント（携帯情報端末）のソフトウェアは、データをファイル名などのテキスト・シンボルで扱うことが多く、電子掲示板上でグラフィカルに示されているデータを抽象的にしか扱うことができない。このような構成ではその操作性や視認性は良好とは言い難く、電子掲示板の特徴である視認性を有効活用できないという問題があった。
【０００７】
また、サーバ・クライアント間でのデータの送受信には、クライアント（携帯情報端末）側のソフトウェアが用いられるが、クライアント側でしか操作できなかったり、データの指定方法が分かりにくかったりして、一見してわかるような直感的な操作性に欠けていた。
【０００８】
本発明は、上述のごとき実情に鑑みてなされたものであり、携帯端末と通信可能に接続され、データを視認性よく掲示したまま、ドラッグ＆ドロップ操作などの直感的な操作で携帯端末へのデータ転送を実行できる電子掲示装置を提供すること、を目的とする。
【課題を解決するための手段】
【０００９】
上記課題を解決するために、本発明の第１の技術手段は、携帯端末と通信可能に接続する接続手段を備えた電子掲示装置であって、データを画面上に掲示する掲示手段と、画面上に掲示されたデータに対する操作入力を画面から受け付ける操作入力手段と、操作入力手段が受け付けた操作入力に基づいて画面上のデータを携帯端末へ転送するデータ転送手段とを備えることを特徴としたものである。
【００１０】
第２の技術手段は、第１の技術手段において、操作入力手段は、掲示手段の画面上に設けられたタッチパネルであり、データ転送手段は、画面上に掲示されたデータがドラッグ操作により画面の外縁部近傍まで移動し、外縁部近傍でドロップ操作されたときに、データを携帯端末へ転送することを特徴としたものである。
【００１１】
第３の技術手段は、第１又は第２の技術手段において、画面の外縁部は、複数の領域に分割され、分割された各領域に接続手段を備え、データ転送手段は、各領域の接続手段を介して複数の携帯端末へデータ転送を可能としたことを特徴としたものである。
【００１２】
第４の技術手段は、第３の技術手段において、接続手段は、携帯端末と非接触無線通信を行うために、各領域に設けられたリーダライタであり、データ転送手段は、各領域のリーダライタを介して複数の携帯端末が互いに混信しないように領域毎にデータ転送の制御を行うことを特徴としたものである。
【００１３】
第５の技術手段は、第４の技術手段において、リーダライタを介して携帯端末との間で非接触無線通信を行い、リーダライタと携帯端末間が有効通信距離になった際に、電子掲示装置あるいは携帯端末は、有効通信距離になったことをユーザに通知することを特徴としたものである。
【００１４】
第６の技術手段は、第４の技術手段において、各領域のリーダライタを介して複数の携帯端末を接続し、複数の携帯端末との間で同時に非接触無線通信を行うことを特徴としたものである。
【００１５】
第７の技術手段は、第１又は第２の技術手段において、電子掲示装置と携帯端末間での通信状態をユーザに通知するための通知手段を備えていることを特徴としたものである。
【００１６】
第８の技術手段は、第３又は第４の技術手段において、電子掲示装置と携帯端末間での通信状態をユーザに通知するための通知手段を外縁部の各領域に備えていることを特徴としたものである。
【００１７】
第９の技術手段は、第７又は第８の技術手段において、通知手段は、インジケータランプであり、携帯端末との通信が確立した時点あるいは携帯端末へのデータ転送が完了した時点でインジケータランプによりユーザへの通知動作を行うことを特徴としたものである。
【００１８】
第１０の技術手段は、第１乃至第９のいずれか１の技術手段において、データ転送手段は、携帯端末へのデータ転送が完了した時点で、掲示手段に掲示されたデータを削除することを特徴としたものである。
【発明の効果】
【００１９】
本発明によれば、携帯端末と通信可能に接続される電子掲示装置において、データを視認性よく掲示したまま、ドラッグ＆ドロップ操作などの直感的な操作で携帯端末へのデータ転送を実行することができる。
【発明を実施するための最良の形態】
【００２０】
以下、添付図面を参照しながら、本発明の電子掲示装置の好適な実施の形態について説明する。なお、各実施形態の説明において、同じ機能を有する部分には、同じ符号を付し、その繰り返しの説明は省略するものとする。
【００２１】
本発明の場合、電子掲示装置と携帯端末との間におけるデータ転送の動作主体を電子掲示装置側とし、良好な視認性と直感的な操作を実現するために、ドラッグ＆ドロップ操作などの分かりやすい操作方法を用いるものとする。このドラッグ＆ドロップ操作は、ＰＣ（パーソナルコンピュータ）などのＧＵＩインタフェースとして一般的な操作方法であり、電子掲示装置の画面側にタッチパネルなどを備えることで実現可能である。
【００２２】
具体的には、ユーザの指やタッチペンなどを用いて、画面上のデータを画面外縁部に向けてドラッグ操作（データをつかんだまま移動させる操作）し、さらに、画面外縁部近傍でドロップ操作（つかんでいたデータを離す操作）することで、携帯端末へのデータ転送を行う。
【００２３】
図１は、本発明の一実施形態に係る電子掲示装置の構成例を示すブロック図で、図中、１０は電子掲示装置を示す。この電子掲示装置１０は、データを画面上に掲示する本発明の掲示手段に相当する表示部１と、表示部１の画面上に設けられた本発明の操作入力手段に相当するタッチパネル２と、電子掲示装置１０と携帯端末間での通信状態をユーザに通知するための本発明の通知手段に相当するインジケータランプ３と、携帯端末と通信可能に接続する本発明の接続手段に相当する接続インタフェース（接続Ｉ／Ｆ）４と、ＣＰＵなどで構成され電子掲示装置１０の動作を制御する制御部５と、電子掲示装置１０の動作を制御する制御プログラムを格納するＲＯＭや、この制御プログラムを実行する際の作業領域となるＲＡＭなどで構成されるメモリ６と、ハードディスクドライブ（ＨＤＤ）などである記憶部７と、ＣＤやＤＶＤなどの外部記録媒体の読み取り／書き込みを行う外部ドライブ機器８とを備える。
【００２４】
表示部１は、記憶部７あるいは外部記録媒体に記憶されているデータ、あるいは、外部のデータサーバ上に記憶されているデータを画面上に掲示する。なお、データ(以下、データオブジェクトという)とは、ユーザにより閲覧可能な状態で表示される各種のメモファイルやメモデータなどであって、例えばアイコンなどの状態で画面に掲示される。もちろん複数のデータが同時に掲示されていてもよい。
【００２５】
タッチパネル２は、ユーザの指やタッチペンなどの入力手段により指示（接触）された画面上の座標位置を認識し、画面上にデータオブジェクトを表示させたまま、ドラッグ＆ドロップ操作を実現する。
【００２６】
制御部５は、本発明のデータ転送手段に相当し、タッチパネル２が受け付けた操作入力に基づいて画面上のデータオブジェクトを携帯端末へ転送する。例えば、画面上に掲示されたデータオブジェクトがユーザによるドラッグ操作により画面外縁部近傍まで移動し、画面外縁部近傍でドロップ操作されたときに、電子掲示装置１０から携帯端末へのデータ転送を実行する。
【００２７】
接続Ｉ／Ｆ４は、無線あるいは有線を介して携帯端末を接続する。例えば、ＵＳＢ（ユニバーサル・シリアル・バス）接続や、無線ＬＡＮ、近接型非接触通信、赤外線通信、短距離無線通信（Blue Tooth）など、各種の接続形態を適用することができる。
【００２８】
図２は、本発明の電子掲示装置１０にデータオブジェクトを表示させた状態の画面例を示す図である。図中、１０１は表示部１の画面外縁部、１０２は各種のデータオブジェクトを示す。電子掲示装置１０は、電子掲示装置１０の内部に蓄積されたデータオブジェクト、あるいは、ネットワークを介して接続されたデータサーバから取得したデータオブジェクトを、ユーザが閲覧可能な状態で画面上に掲示する。このデータオブジェクト１０２は、様々な表示形式が想定されるが、いずれも別個のデータとして識別可能であるものとする。
【００２９】
図３は、本発明の電子掲示装置１０によるデータ転送処理の一例を説明するための図である。図中、１１１，１１２は携帯端末を示す。ユーザ１０３が任意のデータオブジェクト１０２をポイントした時の動作は、電子掲示装置１０及びデータオブジェクト１０２の特性に応じて様々な形態（例えば、拡大表示する、次のページのドキュメントを表示する、など）が考えられるが、本実施形態の場合、電子掲示装置１０の画面上の全てのデータオブジェクトに対して、ドラッグ操作が可能であるものとする。
【００３０】
また、電子掲示装置１０は、ユーザが所持する携帯端末１１１と接続Ｉ／Ｆ４を介して通信可能に接続され、データオブジェクト１０２の送受信機能を備える。この接続Ｉ／Ｆ４は有線・無線を問わないが、基本的に携帯端末と電子掲示装置１０とは１対１で接続される。仮に他の携帯端末１１２が存在する場合、携帯端末１１１，１１２のうち１つだけが電子掲示装置１０に接続され、この接続以外は排他される。
【００３１】
なお、携帯端末１１１，１１２としては、例えば、ＰＩＭやハンディターミナルなどの個人情報端末をはじめ、携帯電話機，ＰＤＡ，ノートＰＣなどの携帯可能な端末、さらには、ＩＣタグやＩＣカード，メモリカードのような外部記録媒体などが想定される。
【００３２】
（第１の実施形態）
図４は、本発明の第１の実施形態に係る電子掲示装置１０によるデータ転送処理の一例を説明するための図である。本実施形態の場合、電子掲示装置１０と携帯端末１１１とを接続するための接続Ｉ／Ｆ４は、ＵＳＢなどのケーブルによる接続を行うものとする。また、携帯端末を排他的に接続するための手段として、例えば、ケーブルの接続ポートを１つのみとする方法もあるし、複数個の接続ポートを備えておき、最初に接続を確立した携帯端末のみを接続有効とする方法もある。本例ではＵＳＢのストレージクラス・ドライバを利用して携帯端末１１１へデータを転送する。
【００３３】
次に、電子掲示装置１０と携帯端末１１１との接続が確立すると、接続確立したことをユーザに通知するためのインジケータランプ（以下、ＬＥＤインジケータで代表する）３を点灯あるいは点滅させる。あるいは、ＬＥＤインジケータ３の発光色を例えば“赤色”から“緑色”に変化させて、ユーザに通知するようにしてもよい。このユーザに通知するための通知方法は、ＬＥＤインジケータ３に限らず、接続の確立を知らせるためのアラーム音や音声メッセージを出力する方法や、「接続が確立されました。」などのメッセージを画面に表示させるなどの方法を用いてもよい。
【００３４】
上記のように接続が確立されると、電子掲示装置１０と携帯端末１１１間において、電子掲示装置１０の各画面外縁部１０１の方向全て（上下左右）へのドラッグ操作が、携帯端末１１１へのデータ転送を行う操作として認識される。この際、携帯端末１１１の属性値（ユーザ情報など）を同時に取得しても良い。
【００３５】
また、本実施形態ではＵＳＢのストレージクラスを利用しているので、ＵＳＢ接続切断のためのインタフェース１０４も同時に表示する。このＵＳＢ接続切断用インタフェース１０４は、携帯端末１１１が接続されている間、常時表示される。ユーザは携帯端末１１１の接続を切断するときに、ＵＳＢ接続切断用インタフェース１０４に対して、クリック等の操作を行うと、ＬＥＤインジケータ３が消灯する。ユーザはＬＥＤインジケータ３の消灯を確認した後に、携帯端末１１１をＵＳＢケーブルから取り外す。これにより携帯端末１１１を安全に取り外し、端末内のファイル構造の破壊を防止することができる。
【００３６】
次に、ユーザ１０３は、携帯端末１１１に転送したい、電子掲示装置２に表示された任意のデータオブジェクト１０２を、電子掲示装置１０の画面外縁部１０１までドラッグ操作する。データオブジェクト１０２が画面外縁部１０１（ここでは画面下側）に達した時点で、ドロップ操作を行うとデータ転送を開始する。
【００３７】
ここで、データの属性によって転送動作を変化させても良い。すなわち、データオブジェクト１０２が特定の個人情報ならば移動（ムーブ）処理とし、この場合電子掲示装置１０の転送元となるデータオブジェクトは削除する。一方、データオブジェクト１０２がパブリックな情報ならば複製（コピー）処理とし、この場合電子掲示装置１０の転送元となるデータオブジェクトはそのまま残す。また、データオブジェクト１０２のグループ属性が携帯端末１１１のユーザと異なる場合、携帯端末１１１へのデータ転送を禁止する、などである。
【００３８】
次に、電子掲示装置１０は、携帯端末１１１へデータ転送中である旨を、ＬＥＤインジケータ３を例えば“赤色”に点灯させてユーザに通知するようにしてもよい。また、携帯端末１１１へのデータ転送が完了した時点で、ＬＥＤインジケータ３の発光色を“緑色”に変化させてユーザに通知するようにしてもよい。また、ＬＥＤインジケータに限らず、例えば、「データ転送中です。」，「データ転送が完了しました。」などのメッセージを画面上に表示して通知するようにしてもよい。なお、電子掲示装置１０と同様の通知を携帯端末１１１側で行うようにしてもよい。
【００３９】
ユーザは、電子掲示装置１０と携帯端末１１１との接続が確立している間、必要に応じて、上記のデータ転送〜ユーザ通知の動作を繰り返し実行することができる。
【００４０】
電子掲示装置１０から全てのデータオブジェクト１０２を取得したら、電子掲示装置１０と携帯端末１１１との接続を切断して終了する。本例ではＵＳＢのストレージクラスを想定しているので、ＵＳＢ接続切断用インタフェース１０４を操作して、明示的に接続を解除する操作を行う必要がある。
【００４１】
図５は、本発明の第１の実施形態に係る電子掲示装置１０によるデータ転送処理の一例を説明するためのフロー図である。まず、電子掲示装置１０は、ＵＳＢコネクタに携帯端末１１１が接続されると（ステップＳ１）、セッションの確立がされたかどうかを判定し（ステップＳ２）、セッションが確立されたと判定した場合（ＹＥＳの場合）、接続確立を通知するためのＬＥＤインジケータ３を点灯させて、ＵＳＢ接続切断用インタフェース１０４を表示する（ステップＳ３）。また、ステップＳ２において、セッションが確立されていないと判定した場合（ＮＯの場合）、ステップＳ２に戻り処理を繰り返す。
【００４２】
次に、電子掲示装置１０は、データオブジェクト１０２の転送待機状態とし、データオブジェクト１０２の画面外縁部１０１へのドラッグ操作をモニタし（ステップＳ４）、画面外縁部１０１へのドラッグ操作があったかどうかを判定する（ステップＳ５）。ここで、ドラッグ操作があった場合（ＹＥＳの場合）、データオブジェクト１０２を携帯端末１１１へ転送し、データ転送中を示すメッセージを画面上に表示する（ステップＳ６）。
【００４３】
次に、電子掲示装置１０は、携帯端末１１１へのデータ転送が終了したかどうかを判定し（ステップＳ７）、データ転送が終了した場合（ＹＥＳの場合）、転送完了を通知するためのメッセージを画面上に表示し（ステップＳ８）、ステップＳ４に戻り処理を繰り返す。また、ステップＳ７において、データ転送が終了していない場合（ＮＯの場合）、ステップＳ６に戻り処理を繰り返す。
【００４４】
一方、電子掲示装置１０は、ステップＳ５において、ドラッグ操作がない場合（ＮＯの場合）、ＵＳＢ接続切断用インタフェース１０４をモニタし（ステップＳ９）、インタフェース１０４がＯＮ（クリック）されたかどうかを判定する（ステップＳ１０）。ここで、インタフェース１０４がＯＮされた場合（ＹＥＳの場合）、セッションを終了し、ＬＥＤインジケータ３を消灯し、ＵＳＢ接続切断用インタフェース１０４を消去する（ステップＳ１１）。また、ステップＳ１０において、ＵＳＢ接続切断用インタフェース１０４がＯＮされない場合（ＮＯの場合）、ステップＳ４に戻り処理を繰り返す。
【００４５】
本実施形態によれば、携帯端末と通信可能に接続される電子掲示装置において、データを視認性よく掲示したまま、ドラッグ＆ドロップ操作などの直感的な操作で携帯端末へのデータ転送を実行することができる。
また、電子掲示装置と携帯端末との有線による通信を行う際に、機器同士のリンク確立時やデータ転送完了時に、インジケータランプなどによりユーザ通知することで、通信に起こり得る不完全なデータ転送を防止することができる。
【００４６】
（第２の実施形態）
図６は、本発明の第２の実施形態に係る電子掲示装置１０によるデータ転送処理の一例を説明するための図である。本実施形態の場合、基本的な構成は第１の実施形態と同様であるが、携帯端末１１１は無線通信するためのアンテナ１１１ａを備え、電子掲示装置１０と携帯端末１１１とを接続するための接続Ｉ／Ｆ４は無線ＬＡＮによる接続を行うものとする。無線ＬＡＮとしては、例えば、ＩＥＥＥ８０２．１１規格による接続を行う。通常ＩＥＥＥ８０２．１１規格では複数台の同時接続を許容するが、ここでは、最初に接続を確立した携帯端末のみを接続有効とする。
【００４７】
携帯端末１１１が電子掲示装置１０から全てのデータオブジェクト１０２を取得したら、装置間の接続を切断して終了する。無線ＬＡＮのセッションはＩＥＥＥ８０２．１１規格において維持されているので、無線ＬＡＮの接続終了を以って動作を終了する。
【００４８】
図７は、本発明の第２の実施形態に係る電子掲示装置１０によるデータ転送処理の一例を説明するためのフロー図である。まず、電子掲示装置１０は、携帯端末１１１との間で無線ＬＡＮのセッションが開始されると（ステップＳ２１）、セッションの確立がされたかどうかを判定し（ステップＳ２２）、セッションが確立されたと判定した場合（ＹＥＳの場合）、接続確立を通知するためのＬＥＤインジケータ３を点灯させる（ステップＳ２３）。また、ステップＳ２２において、セッションが確立されていないと判定した場合（ＮＯの場合）、ステップＳ２２に戻り処理を繰り返す。
【００４９】
次に、電子掲示装置１０は、データオブジェクト１０２の転送待機状態とし、データオブジェクト１０２の画面外縁部１０１へのドラッグ操作をモニタし（ステップＳ２４）、画面外縁部１０１へのドラッグ操作があったかどうかを判定する（ステップＳ２５）。ここで、ドラッグ操作があった場合（ＹＥＳの場合）、データオブジェクト１０２を携帯端末１１１へ転送し、データ転送中を示すメッセージを画面上に表示する（ステップＳ２６）。
【００５０】
次に、電子掲示装置１０は、携帯端末１１１へのデータ転送が終了したかどうかを判定し（ステップＳ２７）、データ転送が終了した場合（ＹＥＳの場合）、転送完了を通知するためのメッセージを画面上に表示し（ステップＳ２８）、ステップＳ２４に戻り処理を繰り返す。また、ステップＳ２７において、データ転送が終了していない場合（ＮＯの場合）、ステップＳ２６に戻り処理を繰り返す。
【００５１】
一方、電子掲示装置１０は、ステップＳ２５において、ドラッグ操作がない場合（ＮＯの場合）、無線ＬＡＮの接続を確認し（ステップＳ２９）、接続が解除されたかどうかを判定する（ステップＳ３０）。ここで、接続が解除された場合（ＹＥＳの場合）、セッションを終了し、ＬＥＤインジケータ３を消灯する（ステップＳ３１）。また、ステップＳ３０において、接続が解除されない場合（ＮＯの場合）、ステップＳ２４に戻り処理を繰り返す。
【００５２】
本実施形態によれば、携帯端末と通信可能に接続される電子掲示装置において、データを視認性よく掲示したまま、ドラッグ＆ドロップ操作などの直感的な操作で携帯端末へのデータ転送を実行することができる。
また、電子掲示装置と携帯端末との無線ＬＡＮによる通信を行う際に、機器同士のリンク確立時やデータ転送完了時に、インジケータランプなどによりユーザ通知することで、通信に起こり得る不完全なデータ転送を防止することができる。
【００５３】
（第３の実施形態）
図８は、本発明の第３の実施形態に係る電子掲示装置１０によるデータ転送処理の一例を説明するための図である。本実施形態の場合、基本的な構成は第１の実施形態と同様であるが、電子掲示装置１０と携帯端末１１１とを接続するための接続Ｉ／Ｆ４は無線による接続を行うものとする。無線としては、例えば、ＩＣカードなどで使用される、ＩＳＯ１４４４３規格による近接型非接触通信を利用することができる。
【００５４】
このＩＳＯ１４４４３規格を利用することで、下記に示す効果が得られる。
（１）通信接続の排他手段として、ＩＳＯ１４４４３規格が備える衝突防止機構を利用することができる。
（２）接続Ｉ／Ｆ４として複数台のリーダライタを備える場合、隣接するリーダライタ間の通信干渉距離Ｌ１が最も短い規格を選択することで、リーダライタ間の干渉を最低限に抑えることができる。
（３）有効通信距離Ｌ２の都合上、携帯端末１１１を電子掲示装置１０に隣接配置する形態となるため、ユーザから見れば、電子掲示装置１０の画面外縁部１０１から携帯端末１１１へのドラッグ＆ドロップ操作がより直感的なものとなる。
【００５５】
図８において、電子掲示装置１０の画面外縁部１０１は複数の領域に分割され、それぞれの領域に近接型非接触通信用のリーダライタ４を内蔵する。各領域に内蔵されたリーダライタ４はＩＳＯ１４４４３規格で規定される通信干渉距離Ｌ１よりも十分離れているとする。これはリーダライタ間の通信干渉を防ぐためである。
【００５６】
電子掲示装置１０の制御部５は、各領域のリーダライタ４を介して複数の携帯端末１１１へのデータオブジェクト１０２の転送を可能とする。この際、複数のリーダライタ４を通信干渉距離Ｌ１よりも十分離して配置することで、通信時に互いに混信することがなく、領域毎にデータオブジェクト１０２の転送処理を行うことができる。
【００５７】
電子掲示装置１０と携帯端末１１１間の接続確立は、携帯端末１１１を電子掲示装置１０の画面外縁部１０１の近傍に配置し、有効通信距離Ｌ２にまで接近させることで、リーダライタ４により自動的に開始される。この際、電子掲示装置１０あるいは携帯端末１１１は、有効通信距離Ｌ２になったことをユーザに通知するようにしてもよい。通知手段としては、例えば、インジケータランプの点灯や、メッセージの表示、アラーム音など、各種の形態が想定される。
【００５８】
リーダライタ４の有効通信距離Ｌ２の範囲に携帯端末１１１が進入すると、ＩＳＯ１４４４３の規格に定められた初期応答動作によって、セッションが確立する。電子掲示装置１０と携帯端末１１１間でセッションが確立した際に、この携帯端末１１１に対応するリーダライタ４の画面外縁部１０１の領域に対して、ユーザ１０３によりデータオブジェクト１０２がドラッグ操作されると、電子掲示装置１０はこのドラッグ操作を携帯端末１１１へのデータ転送を行うための操作として認識し、データ転送が実行される。
【００５９】
本実施形態においては、電子掲示装置１０と携帯端末１１１間での通信状態をユーザに通知するためのＬＥＤインジケータ３を、画面外縁部１０１の各領域に備えるようにしてもよい。これにより、画面外縁部１０１の各領域において、装置間のセッションが確立した時点あるいは携帯端末１１１へのデータ転送が完了した時点などに、ＬＥＤインジケータ３を点灯させて、ユーザに通知することができる。
【００６０】
また、各領域のリーダライタ１台に対して１台の携帯端末１１１が接続可能であるため、電子掲示装置１０全体で見ると、同時に複数台の携帯端末１１１を接続することが可能となる。この際、複数台の携帯端末１１１との間で同時に非接触無線通信を行うようにしてもよい。
そして、携帯端末１１１が電子掲示装置１０から全てのデータオブジェクト１０２を取得したら、装置間の接続を切断してセッションを終了する。本実施形態の場合、携帯端末１１１を電子掲示装置１０から離し、有効通信距離Ｌ２以上にまで遠ざけると、セッションが自動的に終了する。
【００６１】
図９は、本発明の第３の実施形態に係る電子掲示装置１０によるデータ転送処理の一例を説明するためのフロー図である。まず、電子掲示装置１０は、携帯端末１１１との間で非接触通信の初期応答が開始されると（ステップＳ４１）、セッションの確立がされたかどうかを判定し（ステップＳ４２）、セッションが確立されたと判定した場合（ＹＥＳの場合）、画面外縁部１０１の対応する領域において接続確立を通知するためのＬＥＤインジケータ３を点灯させる（ステップＳ４３）。また、ステップＳ４２において、セッションが確立されていないと判定した場合（ＮＯの場合）、ステップＳ４２に戻り処理を繰り返す。
【００６２】
次に、電子掲示装置１０は、データオブジェクト１０２の転送待機状態とし、データオブジェクト１０２の画面外縁部１０１へのドラッグ操作をモニタし（ステップＳ４４）、画面外縁部１０１へのドラッグ操作があったかどうかを判定する（ステップＳ４５）。ここで、ドラッグ操作があった場合（ＹＥＳの場合）、データオブジェクト１０２を携帯端末１１１へ転送し、データ転送中を示すメッセージを画面上に表示する（ステップＳ４６）。
【００６３】
次に、電子掲示装置１０は、携帯端末１１１へのデータ転送が終了したかどうかを判定し（ステップＳ４７）、データ転送が終了した場合（ＹＥＳの場合）、転送完了を通知するためのメッセージを画面上に表示し（ステップＳ４８）、ステップＳ４４に戻り処理を繰り返す。また、ステップＳ４７において、データ転送が終了していない場合（ＮＯの場合）、ステップＳ４６に戻り処理を繰り返す。
【００６４】
一方、電子掲示装置１０は、ステップＳ４５において、ドラッグ操作がない場合（ＮＯの場合）、非接触通信の接続を確認し（ステップＳ４９）、接続が解除されたかどうかを判定する（ステップＳ５０）。ここで、接続が解除された場合（ＹＥＳの場合）、セッションを終了し、ＬＥＤインジケータ３を消灯する（ステップＳ５１）。また、ステップＳ５０において、接続が解除されない場合（ＮＯの場合）、ステップＳ４４に戻り処理を繰り返す。
【００６５】
本実施形態によれば、携帯端末と通信可能に接続される電子掲示装置において、データを視認性よく掲示したまま、ドラッグ＆ドロップ操作などの直感的な操作で携帯端末へのデータ転送を実行することができる。
また、電子掲示装置と携帯端末との非接触無線通信を行う際に、機器同士のリンク確立時やデータ転送完了時に、インジケータランプなどによりユーザ通知することで、非接触通信に起こり得る不完全なデータ転送を防止することができる。
さらに、画面外縁部の領域ごとに通信用のリーダライタを内蔵し、領域毎にデータ転送のオペレーションを制御することで、複数台の携帯端末の混信を防ぐことができる。
【００６６】
これまで説明した各実施形態において、電子掲示装置１０の制御部５は、携帯端末１１１へのデータ転送が完了した時点で、表示部１に掲示されたデータオブジェクト１０２を削除するようにしてもよい。なお、データ転送の完了時点とは、携帯端末１１１からデータ転送の完了通知が送信され、これを電子掲示装置１０が受信した時点のことをいい、データオブジェクト１０２の削除とは、表示部１に掲示されたデータオブジェクト１０２を画面上から消去すると共に、記憶部７に記憶されたデータオブジェクト１０２のデータそのものを削除することをいう。
【００６７】
また、電子掲示装置１０と通信を行う機器として、携帯端末１１１を例示して説明したが、これに限定されず、例えば、ＩＣタグやＩＣカード、メモリカードなどの外部記録媒体であってもよい。ＩＣタグやＩＣカードの場合、無線通信により電子掲示装置１０からデータオブジェクト１０２を転送し、このＩＣタグやＩＣカードを専用の読取装置で読み取るなどの方法で携帯端末１１１へデータオブジェクト１０２を転送することができる。また、メモリカードの場合、ＵＳＢ等の有線通信により電子掲示装置１０からデータオブジェクト１０２を転送し、このメモリカードから携帯端末１１１へデータオブジェクト１０２を転送することができる。
【図面の簡単な説明】
【００６８】
【図１】本発明の一実施形態に係る電子掲示装置の構成例を示すブロック図である。
【図２】本発明の電子掲示装置にデータオブジェクトを表示させた状態の画面例を示す図である。
【図３】本発明の電子掲示装置によるデータ転送処理の一例を説明するための図である。
【図４】本発明の第１の実施形態に係る電子掲示装置によるデータ転送処理の一例を説明するための図である。
【図５】本発明の第１の実施形態に係る電子掲示装置によるデータ転送処理の一例を説明するためのフロー図である。
【図６】本発明の第２の実施形態に係る電子掲示装置によるデータ転送処理の一例を説明するための図である。
【図７】本発明の第２の実施形態に係る電子掲示装置によるデータ転送処理の一例を説明するためのフロー図である。
【図８】本発明の第３の実施形態に係る電子掲示装置によるデータ転送処理の一例を説明するための図である。
【図９】本発明の第３の実施形態に係る電子掲示装置によるデータ転送処理の一例を説明するためのフロー図である。
【符号の説明】
【００６９】
１…表示部（掲示手段）、２…タッチパネル（操作入力手段）、３…インジケータランプ（通知手段）、４…接続Ｉ／Ｆ、５…制御部（データ転送手段）、６…メモリ、７…記憶部（ＨＤＤ）、８…外部ドライブ機器、１０…電子掲示装置、１０１…画面外縁部、１０２…データオブジェクト、１０３…ユーザ、１０４…ＵＳＢ接続切断用インタフェース、１１１，１１２…携帯端末。
【図１】
2008257442.tif 000003
【図２】
2008257442.tif 000004
【図３】
2008257442.tif 000005
【図４】
2008257442.tif 000006
【図５】
2008257442.tif 000007
【図６】
2008257442.tif 000008
【図７】
2008257442.tif 000009
【図８】
2008257442.tif 000010
【図９】
2008257442.tif 000011